(57)【要約】【課題】浴室や洗面所等の湿気の多い部屋の天井に設置できる熱交換型の換気装置を提供する。【解決手段】熱交換器５０と、ケース内部を仕切られて構成され外気が流れる給気流路と室内空気が流れる排気流路とを備えたケース１０と、給気流路に設けられた給気用送風機２０Ａと、排気流路に設けられた排気用送風機２０Ｂと、を備え、給気流路と排気流路とは、途中の部分を熱交換器５０で構成され、ケース１０は、周辺空気をケース内部へ吸い込むための開口１４を底部１１に有し、開口１４は排気流路の熱交換器５０より下流側に形成され、排気用送風機２０Ｂは排気流路で熱交換器より下流側に設けられ、排気用送風機２０Ｂがケース外部へ向けて送風することで、開口１４から周辺空気を取り込み、さらに熱交換器５０で外気と熱交換を行った室内空気を周辺空気と共に排出する。【選択図】図３
2017009259.tif 000002
【特許請求の範囲】
【請求項１】
外壁に設けられた取込口から室内の天井に設けられた給気口まで延びていて外気が流れる給気経路と、上記室内の天井に設けられた排気口から上記外壁に設けられた排出口まで延びていて室内空気が流れる排気経路と、の途中に設けられて、上記外気を上記室内へ送ると共に上記室内空気を屋外へ送り、さらに上記外気と上記室内空気との間で熱交換を行う、天井埋込型の換気装置であって、
上記熱交換を行う熱交換器と、
ケース内部を仕切られて構成され上記外気が流れる給気流路と上記室内空気が流れる排気流路とを備えたケースと、
上記給気流路に設けられた給気用送風機と、
上記排気流路に設けられた排気用送風機と、を備え、
上記給気流路と上記排気流路とは、途中の部分を上記熱交換器で構成され、
上記ケースは、ケース周辺の空気（以下、周辺空気と呼ぶ。）を上記ケース内部へ吸い込むための開口を底部に有し、
上記開口は上記排気流路の熱交換器より下流側に形成され、
上記排気用送風機は上記排気流路で上記熱交換器より下流側に設けられ、
上記排気用送風機がケース外部へ向けて送風することで、上記開口から上記周辺空気を取り込み、さらに上記熱交換器で上記外気と熱交換を行った上記室内空気を上記周辺空気と共に排出することを特徴とする、換気装置。
【請求項２】
上記開口を開閉する開閉装置を備えたことを特徴とする、請求項１に記載の換気装置。
【請求項３】
上記開閉装置は、上記排気用送風機が停止した状態で、上記開口を閉じることを特徴とする、請求項２に記載の換気装置。
【請求項４】
上記開閉装置は開閉を操作する操作部を備えていることを特徴とする、請求項２に記載の換気装置。
【請求項５】
上記ケースは、排気ダクトを介して上記室内空気を取り込むための他の開口（以下、第二開口と呼ぶ。）を備え、上記第二開口は上記排気流路の上記熱交換器より下流側に形成されていることを特徴とする、請求項１から請求項４の何れかに記載の換気装置。
【請求項６】
上記ケースが、天井の取付穴と同等の大きさに形成された上記底部と、上記底部の周縁から延長して形成された側部と、を備えて、全体を上記取付穴に入れることができることを特徴とする、請求項１から請求項５の何れかに記載の換気装置。
【請求項７】
上記給気経路と、上記排気経路と、請求項１から請求項４の何れかに記載の換気装置と、を備えた換気システムであって、
上記換気装置が浴室又は洗面所の天井に形成された取付穴に埋め込んで取り付けられることを特徴とする、換気システム。
【請求項８】
上記ケースは、排気ダクトを介して上記室内空気を取り込むための他の開口（以下、第二開口と呼ぶ。）を備え、上記第二開口は上記排気流路の上記熱交換器より下流側に形成されていて、
さらに、上記換気装置が上記浴室に取り付けられる場合は下記の構成Ａ１、又は
上記換気装置が上記洗面所に取り付けられる場合は下記の構成Ａ２と構成Ａ３の何れかを特徴とする、請求項７に記載の換気システム。
構成Ａ１：上記第二開口はトイレと上記洗面所の少なくとも一方の天井に設けられた上記排気口と上記排気ダクトを介してつながっている。
構成Ａ２：上記第二開口は上記浴室の天井に設けられた上記排気口と上記排気ダクトを介してつながっている。
構成Ａ３：上記第二開口は上記浴室とトイレの天井に設けられた上記排気口と上記排気ダクトを介してつながっている。
【発明の詳細な説明】
【技術分野】
【０００１】
本発明は、屋外から室内へ外気を送る給気と室内から屋外へ室内空気を送る排気とを行い、さらに外気と室内空気との間で熱交換を行う換気装置の構造に関する。
【背景技術】
【０００２】
浴室に取り付けられる換気装置として、乾燥機能付きの装置が知られている。この装置では、浴室内の空気を取り込み、ヒーターや温水で加熱した後に浴室へ戻して、浴室で衣類を乾燥することができる。
【０００３】
また、特許文献１に開示されている換気システムは、浴室用の換気装置に加えて、熱交換型の換気装置を備えている。
特許文献２には、天井に埋め込み式の熱交換型の換気装置が開示されている。この換気装置は、ケースの底部に吸い込み口を備えていて、吸い込み口に入った空気を外気と熱交換を行った後に屋外へ排気している。
【先行技術文献】
【特許文献】
【０００４】
【特許文献１】特開２０１３−１９５０１０号公報
【特許文献２】特許第５５３８２９８号公報
【発明の概要】
【発明が解決しようとする課題】
【０００５】
浴室に取り付ける乾燥機能付きの換気装置は、電気式ではヒーターを備えているため電気代が嵩み、またガス式では循環させる温水を利用するためガス代が嵩んでしまう。また、衣類の乾燥については、近年、乾燥機能付きの洗濯機や壁付けの乾燥機が普及しており、これらの機器は、設置場所の自由度を有し、また施工の作業や費用を低減することができるので、乾燥機能付きの換気装置に代えて利用される割合が高いと考えられる。
特許文献１の換気システムは、浴室用の換気装置と熱交換型の換気装置をそれぞれ利用するため、換気を連続して行う場合にそれらを駆動させる電力が懸念される虞がある。
【０００６】
浴室と他の部屋の換気を一台で行え、さらに排気と給気との間で熱交換を行えれば、消費電力を低減することに加えて、施工性も向上することが期待できる。しかし、従来の特許文献２に示すような熱交換型の換気装置を浴室や洗面所等の湿気の多い部屋に埋め込んで取り付けると、例えば紙製の又は樹脂製のシート材がスペーサーを介して積層して構成された熱交換器に湿気が入り、本来の機能を維持することが困難である。
【０００７】
そこで、本発明は、浴室や洗面所等の湿気の多い部屋の天井に設置できる熱交換型の換気装置と、この換気装置を備えた換気システムとを提供することを目的とする。
【課題を解決するための手段】
【０００８】
本発明の天井埋込型の換気装置は、外壁に設けられた取込口から室内の天井に設けられた給気口まで延びていて外気が流れる給気経路と、上記室内の天井に設けられた排気口から上記外壁に設けられた排出口まで延びていて室内空気が流れる排気経路と、の途中に設けられている。上記換気装置は、上記外気を上記室内へ送ると共に上記室内空気を屋外へ送り、さらに上記外気と上記室内空気との間で熱交換を行う。
【０００９】
上記換気装置は、上記熱交換を行う熱交換器と、ケース内部を仕切られて構成され上記外気が流れる給気流路と上記室内空気が流れる排気流路とを備えたケースと、上記給気流路に設けられた給気用送風機と、上記排気流路に設けられた排気用送風機と、を備えている。
【００１０】
上記給気流路と上記排気流路とは、途中の部分を上記熱交換器で構成されている。上記ケースは、ケース周辺の空気を上記ケース内部へ吸い込むための開口を底部に有する。上記開口は上記排気流路の熱交換器より下流側に形成されている。上記排気用送風機は上記排気流路で上記熱交換器より下流側に設けられている。
【００１１】
さらに、本発明の換気システムは、上記取込口から上記給気口まで延びていて上記外気が流れる給気経路と、上記排気口から上記排出口まで延びていて上記室内空気が流れる排気経路と、上記換気装置と、を備えている。上記換気装置が浴室又は洗面所の天井に形成された取付穴に埋め込んで取り付けられる。
【発明の効果】
【００１２】
本発明によれば、開口から取り込んだ周辺の空気が熱交換器を通らずに排出されるので、浴室や洗面所などの湿気の多い部屋に取り付けることができる。また、他の部屋の空気は、新鮮な外気と熱交換を行うことができるので、居住空間全体の換気を一台の換気装置で効果的に行うことができ、さらに取付台数も一台で済み、施工や設置等の作業を短縮することが期待できる。
【図面の簡単な説明】
【００１３】
【図１】（Ａ）は第一実施形態の換気装置の斜視図、（Ｂ）は（Ａ）の換気装置の正面図、（Ｃ）は（Ａ）の換気装置の平面図である。
【図２】図１（Ｂ）のａ−ａ線に沿った換気装置の断面図である。
【図３】第一実施形態の換気装置の斜視図である。
【図４】図１（Ｃ）のｂ−ｂ線に沿った換気装置の断面図である
【図５】第一実施形態の換気装置を備えた換気システムの使用例を示す図である。
【図６】第一実施形態の変形例の換気装置の断面図である。
【図７】（Ａ）は第二実施形態の換気装置の斜視図、（Ｂ）は（Ａ）の換気装置の正面図である。
【図８】図７（Ｂ）のｃ−ｃ線に沿った換気装置の断面図である。
【図９】第二実施形態の換気装置を備えた換気システムの使用例を示す図である。
【図１０】第二実施形態の換気装置を備えた換気システムの他の使用例を示す図である。
【図１１】本発明のその他の実施形態の換気装置で、給気用送風機の配置を説明するための断面図である。
【図１２】本発明のその他の実施形態の換気装置で、ケースの形状を説明するための断面図である。
【発明を実施するための形態】
【００１４】
図１（Ａ）は第一実施形態の天井埋込型の換気装置１の斜視図、図１（Ｂ）は換気装置１の正面図、図１（Ｃ）は換気装置１の平面図である。図１（Ａ）は、換気装置１を天井９０の取付穴９１に取り付けた状態を俯瞰した図である。図１では天井９０の一部を表している。図２は図１（Ｂ）のａ−ａ線に沿った換気装置１の断面図、図３は換気装置１の内部の構成を透視した概略斜視図である。図４は図１（Ｃ）のｂ−ｂ線に沿った換気装置１の断面図である。
【００１５】
換気装置１は、換気として屋外の新鮮な外気を室内へ送る給気と共に、室内から排出する室内空気を屋外へ送る排気を行い、さらに換気の際に外気と室内空気との間で熱交換を行う。
【００１６】
換気装置１は、図２に示すように、ケース１０に、給気用の送風機（以下、給気用送風機２０Ａと呼ぶ。）と、排気用の送風機（以下、排気用送風機２０Ｂと呼ぶ。）と、熱交換器５０とを入れて構成されており、取付穴９１から全体を入れることができる。図２と図３は、給気用送風機２０Ａと排気用送風機２０Ｂとを二点鎖線で表している。
【００１７】
ケース１０は、輪郭が取付穴９１の矩形の縁と同型の底部１１と、底部１１の周縁から立ち上がった側部１２と、上面を形成する天板部１３とから、直方体状に形成されている。ケース１０は、合成樹脂材などを成型して、縦と横の寸法よりも高さを低くして形成されている。
【００１８】
ケース１０は、内部を分けるように、各側部１２から中央へ向けて、縦方向と横方向とにそれぞれ二つの仕切部４１，４２を設けている。各仕切部４１，４２は板状に形成され、例えばケース１０と一体に成型される。また、ケース１０は、内側が外側と断熱するよう、仕切部４１，４２を含めて、図示することを省略するが例えば内側の面全体に発泡材を重ねて構成されている。
【００１９】
一方の仕切部４１，４１は、長手の方向が縦方向と平行に、さらに面を横方向と垂直に配置されている。二つの仕切部４１，４１は距離を置いて設けられている。これらの二つの仕切部４１，４１は、縦方向に並ぶように配置されている。他方の二つの仕切部４２，４２は、長手の方向を横方向に沿わせ、さらに面を縦方向と垂直に配置されている。二つの仕切部４２，４２は間に距離を置き、さらに横方向に並ぶように配置されている。
【００２０】
各仕切部４１，４２の端部がケース１０の中央で互いに離れて配置され、これらの端部より内側には図３に示すように直交型の熱交換器５０が設けられる。
【００２１】
熱交換器５０は給気用シート５１と排気用シート５２とを積み重ねて構成されている。給気用シート５１と排気用シート５２とは紙製又は樹脂製のシート材にスペーサーを設けて薄く形成されている。給気用シート５１は、外気を通す流路を複数備えている。排気用シート５２は、室内空気を通す流路を複数備えている。給気用シート５１の流路と排気用シート５２の流路とが直交するように、給気用シート５１と排気用シート５２とは重ねられている。
【００２２】
仕切部４１，４２と熱交換器５０とがケース１０の内側を仕切り、図１（Ｃ）に一点鎖線で示す矢印の方向へ空気が流れる給気流路１１０と排気流路１２０とがケース１０に構成される。図３に示す給気流路１１０は、熱交換器５０の横に配置される四つの空間の内、熱交換器５０を間に挟んで対向する二つの空間と、熱交換器５０とで構成される。図示の構成例では、外気が矢印Ｓに沿って給気流路１１０を流れる。排気流路１２０は、残りの二つの空間と熱交換器５０とで構成され、矢印Ｅに沿って室内空気が流れる。
【００２３】
熱交換器５０を境に、ケース１０内の各流路を、上流と下流とに分けて以下説明する。図３に示す給気流路１１０では、左奥の空間Ｃ１を給気流路１１０の上流側、右側手前の空間Ｃ３を給気流路１１０の下流側とする。また、右奥の空間Ｃ４を排気流路１２０の上流側、左側手前の空間Ｃ２を排気流路１２０の下流側として用いる。これらの空間がケース１０内で、互いに横にずれ、高さを略揃えて構成されている。
【００２４】
熱交換器５０は、積層の向きをケース１０の上下の方向に合わせてケース１０に設けられて、給気流路１１０と排気流路１２０の途中の一部が熱交換器５０で構成されている。給気流路１１０と排気流路１２０とが熱交換器５０で重なり、図３に示すように、給気流路１１０と排気流路１２０とは、熱交換器５０の左側と右側とで並びが変わっている。
【００２５】
給気流路１１０と排気流路１２０とは、熱交換器５０より下流側の空間Ｃ２，Ｃ３を上流側よりも広く形成されて、給気用送風機２０Ａと排気用送風機２０Ｂがそれぞれ配置されている。給気用送風機２０Ａと排気用送風機２０Ｂは、例えばシロッコファンを利用することができる。
【００２６】
給気用送風機２０Ａと排気用送風機２０Ｂとは、図４に示すように、モーター部２１０と、モーター部２１０の回転軸２１１に取り付けられる羽根車２２０と、羽根車２２０を囲うファンケース２３０と、を備えている。ファンケース２３０は、空気を取り込む吸気口２３１と空気を排出する吹出口２３２とを備えている。換気装置１では、吹出口２３２が後述のダクト接続口１７，１８の内側へ通じるようにケース１０に設けられて、熱交換器５０を通過した空気は給気用送風機２０Ａと排気用送風機２０Ｂとの吹出口２３２を経由しないとケース１０の外へ出ることができない。
【００２７】
モーター部２１０が回転軸２１１をケース１０の上下に沿わせて配置されて、羽根車２２０の径方向が底部１１と平行に配置される。ファンケース２３０は、上部と下部とに吸気口２３１を持っていて、これらの吸気口２３１はケース１０の底部１１と天板部１３から離して配置されている。吸気口２３１には、空気を案内するベルマウスが形成されている。なお、シロッコファンは、両吸い込み式に代えて、底部１１と天板部１３の何れかを臨むように吸気口２３１を一つ設けた構成でもよい。
【００２８】
排気用送風機２０Ｂは、給気用送風機２０Ａの構成や機能と異なるものを用いてもよい。例えば、大きさの他、羽根車の構成、吸気口の数、さらに回転数による風量を多くするなど、給気用送風機２０Ａと異なるように構成してもよい。
【００２９】
ケース１０は、図３及び図４に示すように排気流路１２０で熱交換器５０より下流側を構成する底部１１に、開口１４を備えている。開口１４は底部１１を貫通しており、例えば円形に形成されている。開口１４は排気用送風機２０Ｂに寄せて設けられている。図示例では、開口１４は排気用送風機２０Ｂの下方に開いた吸気口２３１と対向している。なお、開口１４の形状は矩形やその他の形でもよい。また、開口１４は、好ましくは、設置場所の気積に応じて大きさを変えることができるように構成される。例えば、穴の一部を塞ぐ部材をケース１０の底部１１に取り付けるように構成すれば小さくすることができ、又はケース１０の底部１１の穴まわりを部分的に切除可能に薄く構成すれば容易に大きくすることができる。
【００３０】
また、換気装置１には、図示を省略するが、熱交換器５０より上流側に虫などを捕集するフィルター部材が給気流路１１０と排気流路１２０にそれぞれ設けられている。
【００３１】
換気装置１は、図４に示すようにケース１０の底部１１が天井９０と横に並ぶまで取付穴９１に入れられて、固定される。固定方法としては、ケース１０を取付穴９１に枠状の金具を介して取り付けたり、ボールねじや金具を利用して屋根裏から吊り下げたりして固定してもよい。
【００３２】
ケース１０は、図１（Ｃ）に示すように、左右の側部１２に、それぞれ二つのダクト接続口１７，１８を設けている。各ダクト接続口１７，１８は筒状に形成されて、内側がケース１０の給気流路１１０又は排気流路１２０に通じている。外気が流れるダクトを給気ダクトと呼び、室内空気が流れるダクトを排気ダクトと呼ぶ。
【００３３】
換気装置１の他、取付に際し、給気経路と排気経路が設置場所に設けられる。給気経路は、外壁の取込口から室内の天井の給気口まで延びており、給気ダクト等を利用して構成される。排気経路は、室内の天井の排気口から外壁の排出口まで延びており、排気ダクト等を利用して構成される。
【００３４】
換気装置１は、給気経路と排気経路の途中に設けられ、これらの経路を構成する給気ダクトと排気ダクトとに接続される。図１，図３及び図４では各ダクトを破線で表しており、ケース１０の左側に取り付けられる給気ダクトと排気ダクトがダクト接続口１７，１８から家屋の外壁の取込口又は排出口まで延びており、右側に取り付けられる給気ダクトと排気ダクトがダクト接続口１７，１８から各室内の天井の給気口又は排気口まで延びている。
【００３５】
給気ダクトと排気ダクトとの上流側と下流側とを、換気装置１を境に、次のように区別する。換気装置１から外壁の取込口まで延びた給気ダクトを上流給気ダクト３１０と呼び、換気装置１より給気口側に設けられる給気ダクトを下流給気ダクト３２０と呼ぶ。排気ダクトでは、換気装置１と外壁の排出口まで延びたものを下流排気ダクト４２０と呼び、換気装置１より排気口側のものを上流排気ダクト４１０と呼ぶ。
【００３６】
ケース１０は、例えば図２に一点鎖線で示すように給気流路１１０の上流側の空間Ｃ１を仕切り、基板，電子部品等で構成されたモーター制御部を入れる空間Ｃ５を設けてもよい。モーター制御部が、給気用送風機２０Ａと排気用送風機２０Ｂとを駆動して、外気と室内空気とを送風する。モーター制御部がモーター部２１０を駆動させて、換気装置１が給気と排気とを常時を行うように設定してもよい。このような連続運転に代えて、換気装置１が間欠的に換気を行うようにモーター制御部が少なくとも一方のモーター部２１０を駆動させてもよい。
【００３７】
換気装置１では、給気用送風機２０Ａが駆動して、図３に示すように外気が矢印Ｓ方向へ流れる。外気は、上流給気ダクト３１０を通って換気装置１へ入り、熱交換器５０を通過した後、ケース１０を出て下流給気ダクト３２０を通って室内へ供給される。給気と同時に、室内空気が排気用送風機２０Ｂによって矢印Ｅ方向へ流れる。室内空気は、上流排気ダクト４１０と換気装置１と下流排気ダクト４２０の順に排気経路を流れて、屋外へ排出される。また、換気装置１では熱交換が行われる。
【００３８】
さらに、本実施形態では、ケース１０を取り付けた部屋の空気の排出も行う。ケース１０の周辺の空気（以下、周辺空気と呼ぶ。）は、排気用送風機２０Ｂが駆動して図３に示すように底部１１に設けられた開口１４からケース１０へ吸い込まれる。周辺空気は、熱交換器５０より下流側の排気流路１２０に入り、屋外へ排出される他の部屋からの室内空気と合流する。周辺空気は、熱交換器５０で外気と熱交換を行った他の部屋からの室内空気と共に、換気装置１を出た後、下流排気ダクト４２０を通って屋外へ排出される。
【００３９】
周辺空気が熱交換器５０を通らずに排出されるので、換気装置１を浴室や洗面所などの湿気の多い部屋に取り付けることができる。また、他の部屋の空気は、新鮮な外気と熱交換を行うことができるので、例えばユニットバスの浴室用換気扇に代えて本実施形態の換気装置１を取り付けると、居住空間全体の換気を一台で効果的に行うことができ、さらに取付台数も一台で済み、施工や設置等の作業を短縮することが期待できる。
【００４０】
図５は換気装置１を備えた換気システム１０１の使用例を示す図であり、間取りを併せて表している。
換気システム１０１は、換気（給気と排気）を行い、さらに換気の際に外気と室内空間との間で熱交換を行う。換気システム１０１は、給気経路と、排気経路と、給気経路と排気経路の途中に設けられた換気装置１と、を備えている。
【００４１】
給気経路は浴室に隣接した外壁に設けられた取込口８１から室内の天井に設けられた複数の給気口８２まで延びている。給気口８２は、和室、洋室、キッチンに設けられ、給気経路を構成する給気ダクトは、図示を省略するが継手部材などを利用してつながっている。
【００４２】
排気経路は、室内の天井に設けられた排気口８３から浴室に隣接した外壁に設けられた排出口８４まで延びている。排気口８３は、洗面所、トイレ、廊下に設けられ、排気経路を構成する排気ダクトが図示を省略するが継手部材などを利用してつながっている。
【００４３】
換気装置１は、浴室の天井に取り付けられている。換気装置１は、図１（Ｂ）に破線で示すように底部１１の下に網状のグリル１５が取り付けられ、又は底部１１から離して化粧板が設けられる。浴室の空気は、グリル１５を通って、又は底部１１と化粧板の間を通って開口１４に吸い込まれる。
【００４４】
換気装置１では、直交型の熱交換器５０が積層方向をケース１０の上下に合わせてケース内部の中央に配置され、ケース１０が内側を熱交換器５０の周りに四つの空間Ｃ１〜Ｃ４が横に並ぶように、仕切部４１，４２で分けられ、さらに各空間Ｃ１〜Ｃ４が高さを揃うように配置されている。さらに、送風機の羽根車２２０が水平方向と平行な姿勢で回転するよう、回転軸２１１が上下に延びている。このような配置構成で、換気装置１は、縦４１０ｍｍ、横５４０ｍｍ、高さ２００ｍｍの小型に構成することができる。この構成により、図１（Ａ）及び図４に示すように天井９０に設けられている浴室換気扇の取付穴９１にケース１０の全体を収めることができる。
【００４５】
排気用送風機２０Ｂは、給気用送風機２０Ａと比べて送風量が多くなるように構成されることが望ましい。また、排気用送風機２０Ｂとして両吸込式シロッコファンを利用し、給気用送風機２０Ａとして吸気口２３１を一方にだけ設けたシロッコファンを利用してもよい。
【００４６】
換気システム１０１は、ケース１０の開口１４から浴室の空気を取り込み、上流排気ダクト４１０を介してトイレと洗面所と廊下の排気口８３から室内空気を取り込み、下流排気ダクト４２０へ送風して、屋外に排出する。排気と同時に、換気装置１は、給気経路に外気を送風して、和室と洋室とキッチンの天井に設けた給気口８２から熱交換後の外気を各室内へ供給する。
【００４７】
換気装置１では、底部１１から浴室の湿気の多い空気を吸い込み、熱交換器５０を通過させずに屋外へ排出する。これにより、熱交換器５０に水が付着することを防止できる。また、換気システム１０１で常時、送風が行われることで、湿気の多い空気が開口１４からケース内側へ入った後に熱交換器５０へ進入することを一層防止できる。また、従来の換気装置を静かな廊下の天井に設置する場合と異なり、換気システム１０１によれば換気装置１を浴室に設置するので、換気に伴う騒音の影響を低減することが期待できる。
【００４８】
換気装置１は、全体が箱型に形成され、設置の際に浴室の天井に穴を開けずに、例えばユニットバスに設けられる通常の換気扇用の取付穴９１を利用することができ、浴室天井の点検口から作業を容易に行うことができる。
【００４９】
また、換気装置１がヒーター等を設けずに換気と、換気の際に外気と室内空気との間の熱交換と、を専用（以下、換気専用と呼ぶ。）に行うように構成されることで、空調負荷を一層低減できる。
【００５０】
図６は、第一実施形態の変形例の換気装置１Ａを示す断面図である。換気装置１Ａは、換気装置１の構成に加えて開閉装置を備えている。開閉装置は、底部１１の開口１４を、開いた状態と閉じた状態とに切り替えることができる。図示例の開閉装置はダンパー装置６０として構成され、ダンパー装置６０は、板片６１と、板片６１を軸６２まわりに回転させて開閉を制御する開閉制御部６３と、を備えている。
【００５１】
開閉装置は、複数の細幅の板片を同時に動かして開閉するシャッター装置などとして構成されたものを用いてもよい。また、開閉装置では、周辺空気の開口１４へ吸い込まれる流量が、例えばダンパー装置６０の板片６１と開口１４との開き度合いを段階的に切り替えて、調整されるように構成されてもよい。
【００５２】
ダンパー装置６０の開閉動作は、開閉制御部６３とコード６４を介して接続した操作部６５での操作を契機に開始／停止する。操作部６５は、ダンパー装置を個別に操作するものに限らず、浴室の照明装置のスイッチを兼用して構成することができ、例えば点灯の際にスイッチの切り替えで開口１４が閉じ、消灯の場合に開くように開閉制御部６３が板片６１を回転させる。また、操作部６５に代えて、温度や湿度を測定するセンサー、光や人を検知するセンサーなどの検出部を利用してもよい。
【００５３】
換気装置１Ａによれば、浴室天井に設置した場合であれば、入浴中にダンパー装置６０で開口１４を塞ぎ、浴室の換気を一時的に停止することができる。また、ダンパー装置６０の開閉制御部６３と排気用送風機２０Ｂ等のモーター制御部とを連携させて、排気用送風機２０Ｂが停止した場合に、開閉制御部６３が開口１４を塞ぐように構成すると、湿気の多い浴室の空気が換気装置１に入って水が排気流路１２０や熱交換器５０に付着することを防止できる。
【００５４】
図７（Ａ）は第二実施形態の換気装置２の斜視図、図７（Ｂ）は換気装置２の正面図ある。図８は図７（Ｂ）のｃ−ｃ線に沿った換気装置２の断面図である。換気装置２は、第一実施形態の換気装置１の構成に加えて、任意に使用することが可能なダクト接続口（以下、副接続口１９と呼ぶ。）を備えている。図示例では、副接続口１９がケース前側の側部１２に設けられている。
【００５５】
筒状の副接続口１９の内側は、ケース１０の側部１２に設けられた開口（第二開口１６と呼ぶ。）と連続している。第二開口１６は、熱交換器５０より下流側の排気流路１２０を構成する側部１２に設けられている。排気用送風機２０Ｂとして、給気用送風機２０Ａより風量が多い送風機を利用することが望ましい。
【００５６】
換気装置２によれば、熱交換器５０を経由しないで、排気したい空気を、副接続口１９を利用して換気装置２に取り込み、屋外へ排出することができる。
【００５７】
図９は換気装置２を備えた換気システム１０２の使用例を示す図であり、間取りを併せて表している。
【００５８】
換気システム１０２は、換気システム１０１の換気装置１に代えて、換気装置２を備えており、その他の構成は換気システム１０１と同様である。換気システム１０２では、排気経路を構成するダクトの内、トイレの排気口８３が副接続口１９と他の上流排気ダクト４１０を利用してつながっている。
【００５９】
換気システム１０２は、ケース１０の底部１１から直に浴室の空気を取り込み、上流排気ダクト４１０を介して洗面所と廊下の排気口８３からの室内空気を取り込み、これとは別の上流排気ダクト４１０を介してトイレの排気口８３からの室内空気を取り込み、下流排気ダクト４２０へ送風して、屋外に排出する。トイレからの室内空気は、開口１４からの浴室の周辺空気と同様に、熱交換器５０の下流側の排気流路に入るため、外気との熱交換を行わずにケース外側へ送風される。
【００６０】
これにより、トイレの臭いのある室内空気が熱交換器５０を通らずにケース外側へ排出されるので、新鮮な外気に臭いを付けることを防止することができる。
【００６１】
図１０は換気装置２を備えた換気システム１０３の使用例を示す図であり、間取りを併せて表している。
換気システム１０３は、図９に示す換気システム１０２と異なり、換気装置２を洗面所に設け、浴室とトイレの天井に排気口８３を設けてこれらの排気口８３からの室内空気を副接続口１９から取り込むように構成されている。
【００６２】
換気システム１０３では、上記の換気システム１０２と異なり、洗面所の空気も熱交換器５０を通らずに屋外へ排出される。これにより、熱交換の際に洗面所の臭いを新鮮な空気に移すことも防止できる。
【００６３】
以上本発明の実施形態を説明したが、換気装置１，１Ａ，２の構成、換気装置１，１Ａ，２を備えた換気システム１０１，１０２，１０３の構成は、上記の説明や図示例に限定されるものではない。設置する家屋の大きさに応じた給気経路や排気経路を設けて換気システムを構成し、例えば換気システム１０３の構成の内、トイレからの室内空気が熱交換器を通って屋外へ排出されるようにしてもよい。また、給気口や排気口を取り付ける空間は、図示例の洋室，和室，廊下，キッチンなどに限られるものではない。
【００６４】
例えば給気用送風機２０Ａの配置は、図１１に示すように、熱交換器５０より上流側の空間でもよい。図１１に示すように給気送風機２０Ａと排気送風機２０Ｂを配置する際、例えばモーター部２１０を共用した送風機を利用してもよい。また、回転軸２１１は、ケース１０の底部１１と平行に配置してもよい。
【００６５】
換気装置１，１Ａ，２は、図１２に示すようにケース１０の一部が室内に現れるように形成されて、周辺空気を底部１１から取り込む開口まわりだけが取付穴９１に入り、取付穴９１に収まらない部分が天井裏に隠れるように設置してもよい。また、給気流路１１０と排気流路１２０とが図２に示すように熱交換器５０を除いて横に並ぶように構成したものに限らず、熱交換器５０より下流の排気流路１２０にケース１０の下方へ開いた開口１４を設けることができればその他の配置でもよく、例えばケース内側で上下に重なっていてもよい。
【００６６】
上記のケース１０の構成は、図１（Ｃ）に示すように、対向する側部１２にそれぞれ排気と給気のためのダクト接続口１７，１８を設けているが、ダクト接続口１７，１８の配置は図示例に限定されず、一方の面に一つ設け、他方の面に三つ設けてもよい。
【００６７】
熱交換器５０の設置も、積層の向きが横を向く姿勢でケース１０に固定されてもよい。また熱交換器５０は、直交型に限らず、対向型のものを用いて熱交換率をより高くなるように構成してもよい。
【００６８】
換気装置１，１Ａ，２は、上記の換気専用に構成されたものに限らず、換気と熱交換の機能に加えて、空気を清浄する機能、イオンを噴出する機能、を持たせてもよい。例えば、除湿ローター等を用いた除湿機能を、換気装置に設けてもよい。
【符号の説明】
【００６９】
１，１Ａ，２  換気装置
１０    ケース
１１０  給気流路
１２０  排気流路
１１    底部
１５    開口
１７，１８  ダクト接続口
１９    副接続口
２０Ａ  給気用送風機
２０Ｂ  排気用送風機
２１０  モーター部
２１１  回転軸
２２０  羽根車
２３０  ファンケース
２３１  吸気口
２３２  吹出口
５０    熱交換器
５１    給気用シート
５２    排気用シート
６０    ダンパー装置
６４    コード
６５    操作部
８１    取込口
８２    給気口
８３    排気口
８４    排出口
９０    天井
９１    取付穴
１０１，１０２，１０３  換気システム
３１０  上流側給気ダクト
３２０  下流側給気ダクト
４１０  上流側排気ダクト
４２０  下流側排気ダクト
【図１】
2017009259.tif 000003
【図２】
2017009259.tif 000004
【図３】
2017009259.tif 000005
【図４】
2017009259.tif 000006
【図５】
2017009259.tif 000007
【図６】
2017009259.tif 000008
【図７】
2017009259.tif 000009
【図８】
2017009259.tif 000010
【図９】
2017009259.tif 000011
【図１０】
2017009259.tif 000012
【図１１】
2017009259.tif 000013
【図１２】
2017009259.tif 000014